(57)【特許請求の範囲】
【請求項１】
ドライヤにより加熱乾燥した骨材を粒度別に篩い分ける振動篩と、該振動篩によって篩い分けた骨材を区画室に粒度別に貯蔵する骨材貯蔵ビンと、該骨材貯蔵ビンの下位に骨材計量槽、ミキサ等とを配置したアスファルトプラントにおいて、前記区画室の上部には振動篩より各区画室に流下する骨材の流路を変更する流路変更ダンパーを配設すると共に、前記区画室の上部に配設されるオーバーフローシュートの入口開口部には開閉ゲートを配設したことを特徴とするアスファルトプラント。
【請求項２】
前記区画室を区画する区画壁の下部には、隣接する区画室より骨材の流入を許容する骨材流入口を穿設し、該骨材流入口には開口部を開閉制御する開閉蓋を配設したことを特徴とする請求項１記載のアスファルトプラント。
【発明の詳細な説明】
【０００１】
【産業上の利用分野】
本発明は道路舗装材であるアスファルト混合物を製造するアスファルトプラントに関し、特に排水性アスファルト混合物等の特殊アスファルト混合物の製造をも行うアスファルトプラントに関する。
【０００２】
【従来の技術】
アスファルトプラントにて製造されるアスファルト混合物はその使用用途に応じて特殊なものが製造される場合が増えており、例えば高速道路等で舗装道路の表面に雨水等の水が溜らないようにするために、舗装道路に水が染み込んで行くと同時に染み込んだ水を下方の路床から排水させるようにする排水性アスファルト混合物も製造されるようになっている。
【０００３】
前記排水性アスファルト混合物に使用される骨材としては、５〜１３ｍｍ粒径の骨材（８０〜８５重量％）と砂（１５〜２０重量％）との二種類の骨材を専ら使用する。そして排水性アスファルト混合物を製造する時には、貯蔵ホッパに貯蔵された６号砕石（５〜１３ｍｍ粒径相当の骨材）及び砂を所定量づつ同時に払い出してドライヤに供給し、ドライヤにて加熱した骨材をプラント本体部の振動篩に供給し、粒径別に篩い分けて骨材貯蔵ビンに貯蔵している。
【０００４】
【発明が解決しようとする課題】
しかしながら、前記骨材貯蔵ビンはビン内を区画して通常、２．５ｍｍ以下の砂、２．５〜５ｍｍ、５〜１３ｍｍ、１３ｍｍ〜２０ｍｍ、２０ｍｍ以上の骨材を粒径別に貯蔵するように５室に区画されているが、前記のように６号砕石と砂の二種類の骨材のみを供給すると、骨材貯蔵ビンの２．５ｍｍ以下の区画室と５〜１３ｍｍの区画室に貯蔵されるが、、この二ビンにてアスファルト混合物を製造出荷しようとすると５〜１３ｍｍの区画室の貯蔵容量が小さくて骨材の払い出しが間に合わなくなって計量待ちとなったり、また供給過剰にてオーバーフローを起こす等の欠点がある。
【０００５】
また、６号砕石（５〜１３ｍｍ粒径相当の骨材）を供給しているのであるが振動篩を通過させて篩い分けするので、その大部分は５〜１３ｍｍの区画室に貯蔵されていくが、一部の小さめの粒径の骨材は２．５〜５ｍｍの区画室に貯蔵され、また一部の大きめの粒径の骨材は１３ｍｍ〜２０ｍｍの区画室に貯蔵されることとなる。このように２．５〜５ｍｍ及び１３ｍｍ〜２０ｍｍの区画室には粒径の偏った骨材が貯蔵される結果、次回の普通アスファルト混合物の製造時にこのような骨材を抜きとらないで使用すると製品の品質に支障を及ぼす問題点を有している。
【０００６】
本発明は上記の点に鑑み、特定の種類の骨材のみを使用して特殊混合物を製造する時に特定の骨材の貯蔵量を増やせる骨材貯蔵ビン構造とし、更には不使用の区画室に粒径の偏った骨材が貯蔵されないようにするなど骨材貯蔵管理のできる特殊混合物の製造にも適したアスファルトプラントを提供することを目的とする。
【０００７】
【課題を解決するための手段】
本発明は上記の目的を達成するために、ドライヤにより加熱乾燥した骨材を粒度別に篩い分ける振動篩と、該振動篩によって篩い分けた骨材を区画室に粒度別に貯蔵する骨材貯蔵ビンと、該骨材貯蔵ビンの下位に骨材計量槽、ミキサ等とを配置したアスファルトプラントにおいて、前記区画室の上部には振動篩より各区画室に流下する骨材の流路を変更する流路変更ダンパーを配設すると共に、前記区画室の上部に配設されるオーバーフローシュートの入口開口部には開閉ゲートを配設したことを特徴としている。
【０００８】
また、前記区画室を区画する区画壁の下部には、隣接する区画室より骨材の流入を許容する骨材流入口を穿設し、該骨材流入口には開口部を開閉制御する開閉蓋を配設したことを特徴としている。
【０００９】
【作用】
本発明によれば、排水性アスファルト混合物等の特定種類の骨材を使用するアスファルト混合物を製造する時には、骨材貯蔵ビンの区画室上部に配設した流路変更ダンパーの操作により篩い分け後の骨材の流路を適宜変更させて特定種類の骨材を特定の区画室に貯蔵することができる。また、投入貯蔵される区画室のオーバーフローシュートの入口開口部を開閉ゲートによって閉塞するようにしてオーバーフローする骨材を隣接の区画室側に流れるようにし、二室に同種の骨材を貯蔵させてその貯蔵量を増加させることができる。
【００１０】
また、二室に同種の骨材を貯蔵させた時に、特定の区画室と隣接する区画室とを仕切る区画壁の下部に配設した骨材流入用の開閉蓋を開放すれば、隣接する区画室に投入された骨材が特定の区画室側に流れながら排出されることになる。したがって、二室に貯蔵された骨材を１つのゲートの開閉制御により払い出すことができて払い出し制御が便利となる。
【００１１】
【実施例】
以下本発明の実施例を図面に基づいて説明する。
【００１２】
１はアスファルトプラントの混合タワーであって、その最上部には振動篩２が搭載してある。該振動篩２にはドライヤ（図示せず）により加熱乾燥した加熱骨材を投入シュート３から投入し、起振体４の発生する振動によって骨材を粒度別に篩い分けている。
【００１３】
振動篩２の内部は数段の篩網が配設してあり、例えば、最上段の投入シュート３に臨ませた位置には、網目サイズ２５ｍｍの角孔（または丸孔）の篩網５ａ、その下段には網目サイズ１５ｍｍの篩網５ｂ、その下段には網目サイズ６ｍｍの篩網５ｃ、最下段には網目サイズ３ｍｍの篩網５ｄを配置している。
【００１４】
振動篩２の下位には骨材貯蔵ビン６が配設してあり、該骨材貯蔵ビン６はビン内を適宜仕切って区画室６ａ、６ｂ、６ｃ、６ｄ、６ｅを形成し、振動篩２によって篩い分けられた２．５ｍｍ以下の砂、及び２．５〜５ｍｍ、５〜１３ｍｍ、１３〜２０ｍｍ、２０ｍｍ以上の骨材をそれぞれの区画室に貯蔵するようにしている。
【００１５】
前記区画室６ｂと区画室６ｃとの区画壁７の下部、及び区画質６ｃと区画質６ｄとの区画壁７´の下部には骨材を流入させる骨材流入口８、８´を穿設しており、その骨材流入口８、８´には区画室６ｃ及び６ｄ側から開閉自在の開閉蓋９、９´を配設して区画室６ｂ側から区画室６ｃ側に、また区画室６ｃ側から区画室６ｄ側に骨材が流れ込むようにしており、これによって区画室６ｂの骨材を区画室６ｃからも、区画室６ｃの骨材を区画室６ｄからも払い出すことができるようにしている。
【００１６】
前記区画室６ｂ、６ｃ、６ｄ、６ｅの上部には一端部を軸着して回動自在とした流路変更ダンパー１０ｂ、１０ｃ、及び１１ｃ、１１ｃ´、１１ｄ、１１ｅを配設し、振動篩２の端部から流下する骨材の流路を変更可能にしている。
【００１７】
また、各区画室には過剰供給される骨材を区画室外に導出するオーバーフローシュート１２ａ、１２ｂ、１２ｃ、１２ｄ、１２ｅを配設している。そしてオーバーフローシュート１２ｃ及び１２ｄの入口開口部には骨材の排出を制御する開閉ゲート１２ｃ´及び１２ｄ´を取り付けている。
【００１８】
更に、各区画室６ａ、６ｂ、６ｃ、６ｄ、６ｅの下部には骨材を払い出す骨材ゲート１３ａ、１３ｂ、１３ｃ、１３ｄ、１３ｅを配設しており、該骨材ゲート１３ａ、１３ｂ、１３ｃ、１３ｄ、１３ｅの開放によって下位の骨材計量槽１４に所望の骨材を順次払い出して累積計量し、計量した骨材をミキサー１５に投入すると共に石粉、アスファルト等を添加して混合調整し、所望のアスファルト合材を製造するようにしている。
【００１９】
次に流路変更ダンパー１０ｂ、１０ｃ及び１１ｃ、１１ｃ´、１１ｄ、１１ｅの回動操作と、区画壁７の骨材流入口８、８´の開閉蓋９、９´の開閉操作について説明する。
【００２０】
普通のアスファルト合材を製造する時には、図２に示すように、開閉蓋９、９´は全閉して各区画室を独立させておき、また流路変更ダンパー１０ｂ、１０ｃ及び１１ｃ、１１ｃ´、１１ｄ、１１ｅは振動篩２により篩い分けされた骨材をそれぞれの対応する区画室に投入できる位置に回動しておく。これを図３のダンパー位置番号により示すと、ダンパー１０ｂは▲２▼の位置に、ダンパー１０ｃは▲３▼の位置に、ダンパー１１ｃは▲４▼の位置に、ダンパー１１ｃ´は▲７▼の位置に、ダンパー１１ｄは▲５▼の位置に、ダンパー１１ｅは▲９▼の位置にそれぞれ回動しておき、従来通り各区画室に所定の骨材及び砂を貯蔵してアスファルト混合物を製造する。
【００２１】
次に、排水性アスファルト混合物のように６号砕石や砂を主配合とする特殊混合物を製造する時の開閉蓋９、９´と流路変更ダンパー１０ｂ、１０ｃ及び１１ｃ、１１ｃ´、１１ｄ、１１ｅと、オーバーフローシュートの開閉ゲート１２ｃ´、１２ｄ´の位置状態を図４〜図８に基づいて説明する。
【００２２】
先ず６号砕石に対応する粒径５〜１３ｍｍの骨材を区画室６ｂと区画室６ｃとに貯蔵してその貯蔵量を増やす場合について説明する。
【００２３】
この場合には、図４に示すように、区画室６ｃに配設したオーバーフローシュートの開閉ゲート１２ｃ´を閉塞すると共に、骨材貯蔵ビン６の区画壁７に配設した開閉蓋９を開放しておく。更に、流路変更ダンパー１０ｂは図３における▲１▼の位置に、１０ｃは▲３▼の位置に、１１ｃは▲４▼の位置に、１１ｃ´は▲７▼の位置に、１１ｄは▲４▼の位置に、１１ｅは▲８▼の位置に回動操作しておく。
【００２４】
このように各ゲートやダンパーを操作しておくことにより、振動篩２に６号砕石及び砂を供給すると、供給された骨材は振動篩２により篩い分けられ、篩網５ｄを通過した粒径の小さな骨材は砂分として区画室６ａに貯蔵される。
【００２５】
また、篩網５ｃを通過して篩網５ｄを通過しない粒径２．５〜５ｍｍの骨材は今回製造する排水性アスファルト混合物には使用しないのでダンパー１０ｂによってオーバーフローシュート１２ｂへと導いて外部へと排出する。
【００２６】
５〜１３ｍｍ粒径の骨材は、先ず区画室６ｃに流れ込み、区画室６ｃが満杯になってもオーバーフローシュートの開閉ゲート１２ｃ´が閉塞されているので外部に溢流せずに区画壁７を越えて区画室６ｂに流れ込むようになる。こうして５〜１３ｍｍ粒径の骨材は、区画室６ｂと区画室６ｃに貯蔵されるのである。
【００２７】
そして区画室６ｃの骨材ゲート１３ｃより骨材を払い出して使用すると、骨材流入口８を通して区画室６ｂに貯留した５〜１３ｍｍ粒径の骨材を区画室６ｃに流入させることができ、５〜１３ｍｍ粒径の骨材の貯蔵量を増した状態で運転することができるのである。
【００２８】
図５は、６号砕石の粒度が十分管理された状態にあり、篩網５ｂを通過しない５〜１３ｍｍ粒径を越えるオーバーサイズの骨材であっても６号砕石として使用する場合の例を示すものであって、図４に対して流路変更ダンパーの内、１１ｃ及び１１ｄを共に図３における▲５▼の位置に回動操作し、オーバーサイズの骨材を区画室６ｂ、６ｃ側に投入できるようにしている。
【００２９】
また、区画室６ｃと区画室６ｄとに６号砕石に対応する粒径５〜１３ｍｍの骨材を貯蔵してその貯蔵量を増やす場合について説明する。
【００３０】
この場合には、図６に示すように、区画室６ｃに配設したオーバーフローシュートの開閉ゲート１２ｃ´を開放すると共に、区画室６ｄに配設したオーバーフローシュートの開閉ゲート１２ｄ´を閉塞する。そして骨材貯蔵ビン６の区画壁７に配設した開閉蓋９を閉塞して区画壁７´に配設した開閉蓋９´を開放しておく。更に、流路変更ダンパー１０ｂ及び１０ｃは共に図３における▲２▼の位置に、１１ｃ及び１１ｄは共に▲４▼の位置に、１１ｃ´は▲６▼の位置に、１１ｅは▲８▼の位置に回動操作しておく。
【００３１】
このように各ゲートやダンパーを操作しておくことにより、５〜１３ｍｍ粒径の骨材は、先ず区画室６ｄに流れ込み、区画室６ｄが満杯になってもオーバーフローシュートの開閉ゲート１２ｄ´が閉塞されているので外部に溢流せずに区画壁７´を越えて区画室６ｃに流れ込むようになる。こうして５〜１３ｍｍ粒径の骨材は、区画室６ｃと区画室６ｄに貯蔵される。
【００３２】
そして区画室６ｄの骨材ゲート１３ｄより骨材を払い出して使用すると、骨材流入口８´を通して区画室６ｃに貯留した５〜１３ｍｍ粒径の骨材を区画室６ｄに流入させることができ、５〜１３ｍｍ粒径の骨材の貯蔵量を増した状態で運転することができる。
【００３３】
図７、図８は粒径５〜１３ｍｍの骨材を区画室６ｃと区画室６ｄに貯蔵して使用する場合の他の使用例を示したもので、
図７は、図６に対して流路変更ダンパー１１ｄを図３における▲５▼の位置に回動操作しており、６号砕石の粒度が十分管理された状態にある時に、５〜１３ｍｍ粒径を越えるオーバーサイズの骨材をも６号砕石として使用するために、オーバーサイズの骨材も区画室６ｄ、６ｃに投入するようにした例を示したものである。
【００３４】
更に、図８は図６に対して流路変更ダンパー１１ｅを図３における▲９▼の位置に回動操作しており、５〜１３ｍｍ粒径を越えるオーバーサイズの骨材を５号砕石とし、粒度調整用に使用するために、この５号砕石を区画室６ｅに投入するようにした例を示したものである。
【００３５】
このように、区画室の上部に配設した流路変更ダンパー１０ｂ、１０ｃ、及び１１ｃ、１１ｃ´、１１ｄ、１１ｅと、オーバーフローシュートの開閉ゲート１２ｃ´、１２ｄ´の操作により、隣接する区画室に同一種類の骨材を貯蔵することができてその貯蔵量を増やすことができる。
【００３６】
また、流路変更ダンパー１０ｂ、１０ｃ、及び１１ｃ、１１ｃ´、１１ｄ、１１ｅ、１０ｄ、１０ｅの回動操作により骨材の流路を変更して所望の骨材を所望の区画室に投入でき、また骨材の粒度管理状態により、不要な骨材は外部へと排出できるので骨材貯蔵管理がやりやすくなり、特殊混合物の製造に適したプラントとすることができる。
【００３７】
更に、区画室の間の区画壁７、７´に穿設した骨材流入口８、８´を閉塞する開閉蓋９、９´の開放操作をすれば、二室に貯蔵される骨材を一つの骨材ゲートから払い出すことができて払い出し制御が便利なものとなる。
【００３８】
【発明の効果】
以上のように本発明に係るアスファルトプラントにあっては、区画室上部に配設した流路変更ダンパー１０ｂ、１０ｃ及び１１ｃ、１１ｃ´、１１ｄ、１１ｅの回動操作によって振動篩２から各区画室に篩い分けられて投入される骨材の流路を変更できるようにし、また区画室の上部に配設されるオーバーフローシュートの入口開口部に開閉ゲート１２ｃ´、１２ｄ´を配設したので、複数の区画室に同一種類の骨材を貯蔵でき、特殊混合物の製造に適したプラントとすることができる。
【００３９】
また、区画室の区画壁７、７´に隣接する区画室間の骨材の流入を許容する骨材流入口８、８´を穿設し、該骨材流入口を閉塞する開閉蓋９、９´の開放によって二室に貯蔵された骨材が一方側の区画室側に流れ込みながら排出されることになるので、二室に貯蔵された骨材を１つのゲートの開閉制御によりを払い出すことができて払い出し制御が便利となる。
【図面の簡単な説明】
【図１】本発明のアスファルトプラントの一実施例の一部切り欠き概略正面図である。
【図２】同上の普通混合物製造時のダンパー位置状態を示す図である。
【図３】同上のダンパー位置状態を説明する図である。
【図４】同上の特殊混合物製造時に区画室６ｂ、６ｃを６号砕石用として使用する場合のダンパー位置状態を示す図である。
【図５】同上の特殊混合物製造時に区画室６ｂ、６ｃを６号砕石用として使用する場合の他のダンパー位置状態を示す図である。
【図６】同上の特殊混合物製造時に区画室６ｃ、６ｄを６号砕石用として使用する場合のダンパー位置状態を示す図である。
【図７】同上の特殊混合物製造時に区画室６ｃ、６ｄを６号砕石用として使用する場合の他のダンパー位置状態を示す図である。
【図８】同上の特殊混合物製造時に区画室６ｃ、６ｄを６号砕石用として使用する場合の他のダンパー位置状態を示す図である。
【符号の説明】
２…振動篩                              ６…骨材貯蔵ビン
６ａ、６ｂ、６ｃ、６ｄ、６ｅ…区画室    ７、７´…区画壁
８、８´…骨材流入口                    ９、９´…開閉蓋
１０ｂ、１０ｃ…流路変更ダンパー
１１ｃ、１１ｃ´、１１ｄ、１１ｅ…流路変更ダンパー
１２ａ、１２ｂ、１２ｃ、１２ｄ、１２ｅ…オーバーフローシュート
１２ｃ´、１２ｄ´…開閉ゲート
【図１】
0003548609.tif 000002
【図２】
0003548609.tif 000003
【図３】
0003548609.tif 000004
【図４】
0003548609.tif 000005
【図５】
0003548609.tif 000006
【図６】
0003548609.tif 000007
【図７】
0003548609.tif 000008
【図８】
0003548609.tif 000009